(57)【要約】【課題】入力された音声データを、容易かつ正確に文章データとして記録することができる音声入力レポートシステムを提供する。【解決手段】音声認識装置１１に「音声を入力しました。」という音声を入力すると、入力者の選択により確定した文章データとともに、「１．お＿ん＿せい＿を」、「２．おん＿せい＿を」、「３．おんせい＿を」等の音声データの文節区切り候補、および「１．音声」、「２．音性」、「３．音勢」等の同音異義語の候補群など、音声をテキストに変換する際の中間データである変換候補データも保存する。ＰＣ１２で変換修正作業を行なう場合に、音声認識装置１１に保存されている音声データの文節区切り候補、および同音異義語の候補群等の変換候補データを参照して、文章データを修正しレポートとして確定することができる。【選択図】図１
2007293600.tif 000002
【特許請求の範囲】
【請求項１】
医療画像に関連する所見データを保存する医療用サーバ装置であって、
前記医療画像と関連する音声データから変換された文章データ、および、前記音声データを前記文章データに変換する際の変換候補である変換候補データを入力装置から受け取る手段と、
前記文章データおよび前記変換候補データを校正装置に送出する手段と、
前記変換候補データに基づいて修正された前記文章データである校正データを前記校正装置から取得する手段と、
取得した校正データを保存する手段と、
を備える医療用サーバ装置。
【請求項２】
請求項１記載の医療用サーバ装置であって、
前記入力装置から受け取った前記文章データから語句データを抽出して保持する手段と、
前記校正装置から取得した前記校正データから新たな語句データを抽出し、前記保持する語句データを、前記新たな語句データにより更新する手段と、
を備える医療用サーバ装置。
【請求項３】
請求項２記載の医療用サーバ装置であって、
前記語句データを検索キーとして検索を行う手段を備える医療用サーバ装置。
【請求項４】
請求項１記載の医療用サーバ装置であって、
前記入力装置から受け取った前記変換候補データから語句データを抽出する手段を備える医療用サーバ装置。
【請求項５】
請求項４記載の医療用サーバ装置であって、
抽出した語句データを検索キーとして検索を行う手段を備える医療用サーバ装置。
【請求項６】
医療画像に関する所見データを保存する医療用サーバ装置に接続され、前記医療画像に関する所見を入力する入力装置であって、
前記医療画像に関する音声データの入力を受ける手段と、
前記音声データを文章データに変換する手段と、
前記音声データを前記文章データに変換する際の変換候補を変換候補データとして生成する手段と、
変換した文章データおよび生成した変換候補データを医療用サーバ装置に送信する手段と、
を備える入力装置。
【請求項７】
医療画像に関する所見データを保存する医療用サーバ装置に接続され、前記医療画像に関する文章データを修正する校正装置であって、
前記医療画像に関する音声データから変換された文章データ、および、前記音声データを前記文章データに変換する際の変換候補である変換候補データを、前記医療用サーバ装置を介して取得する手段と、
前記変換候補データを表示させる手段と、
前記変換候補データに基づいて前記文章データを修正して校正データを生成する手段と、
を備える校正装置。
【請求項８】
請求項７記載の校正装置であって、
入力者用音声辞書を、前記校正データの生成に用いた情報を用いて更新する手段を備える校正装置。
【請求項９】
医療画像に関する所見データを保存する医療用サーバ装置に接続され、前記医療画像を閲覧するための閲覧装置であって、
前記医療画像に関する音声データを文章データに変換する際の変換候補である変換候補データを、検索キーとして前記医療用サーバ装置に検索式を送信する手段を備える閲覧装置。
【請求項１０】
医療画像に関する音声データを文章データとして記録する音声入力レポートシステムであって、
請求項1記載の医療用サーバ装置と、
請求項６記載の入力装置と、
請求項７記載の校正装置と、
を有する音声入力レポートシステム。
【請求項１１】
医療画像に関する所見データを保存する医療用サーバ装置の制御プログラムであって、
コンピュータを、請求項１ないし５のいずれか一項記載の各手段として機能させるためのプログラム。
【請求項１２】
医療画像に関する所見データを保存する医療用サーバ装置に接続され、前記医療画像に関する所見を入力する入力装置の制御プログラムであって、
コンピュータを、請求項６記載の各手段として機能させるためのプログラム。
【請求項１３】
医療画像に関する所見データを保存する医療用サーバ装置に接続され、前記医療画像に関する文章データを修正する校正装置の制御プログラムであって、
コンピュータを、請求項７または８記載の各手段として機能させるためのプログラム。
【請求項１４】
医療画像に関する所見データを保存する医療用サーバ装置に接続され、前記医療画像を閲覧するための閲覧装置の制御プログラムであって、
コンピュータを、請求項９記載の各手段として機能させるためのプログラム。
【発明の詳細な説明】
【技術分野】
【０００１】
本発明は、医療画像に関する音声データを文章データとして記録する音声入力レポートシステム、および、医療用サーバ装置、入力装置、校正装置、閲覧装置に関する。
【背景技術】
【０００２】
病院では、例えば、外科または内科などの医師が担当の患者のＣＴ撮影（コンピュータ断層撮影：computerizing tomography）を希望する場合、通常、その患者のＣＴ撮影およびＣＴ画像に対する診断所見を放射線科の医師に依頼する。放射線科の医師は、撮影した患者のＣＴ画像に対する所見を音声によりテープレコーダー等に録音する。テープレコーダー等に録音された音声による所見は、そのままコンピュータに記録されたり、テキストデータに変換されて記録され、画像と所見を含む電子カルテが作成される。
【０００３】
図１２および図１３は、音声による所見から電子カルテを作成するための従来の音声入力レポートシステムを説明するための図である。従来の音声入力レポートシステムでは、放射線科の医師等が、図１２（ａ）に示すようなＣＴ画像を利用して診断し、所見として、例えば、図１２（ｂ）に示すような「Ａ○×枝△部に結節、結節直径×ｍｍ、石灰化有り」等を音声で入力する。
【０００４】
この場合、図１３（ａ）に示すように、医師は１回に多数の医療画像の読影を行なうが、その時点で各画像についての詳細なレポートは作成せず、診断結果を音声データで保存する。その後、図１３（ｂ）に示すように、トランスクライバ（transcriber）等が音声データをテキストに書き起こし、医師の承認を受け、正式な形式の画像と所見を含むレポート（電子カルテ）を作成する。
【０００５】
図１４は、従来の音声入力レポートシステムの処理フローを示す。従来の音声入力レポートシステムでは、まず、システムの入力端末において画像データを取得し（ステップＳ５１）、放射線科の医師等の入力者が画像を観察する（ステップＳ５２）。
【０００６】
次に、入力者が所見を音声で入力（音声データ）すると（ステップＳ５３）、トランスクライバ用端末が音声データを取得し（ステップＳ５４）、トランスクライバ用端末が音声データを文章に変換し、文章データを生成する（ステップＳ５５）。また、トランスクライバ用端末において、トランスクライバが文章データの誤変換を探し、文章データを修正する（ステップＳ５６）。そして、トランスクライバ用端末は文章データをシステムのサーバに登録する（ステップＳ５７）。
【０００７】
外科または内科などの担当科の医師が画像を閲覧する場合は、システムの閲覧端末において、画像データと文章データをサーバから取得し（ステップＳ５７）、画像データと文章データを閲覧することができる。
【発明の開示】
【発明が解決しようとする課題】
【０００８】
図１５は、従来の音声入力レポートシステムの音声認識装置５１で行われる処理を説明するための図である。例えば、音声認識装置５１に「音声を入力しました。」という音声を入力する場合、音声認識装置５１は、「おんせいを」から、認識エンジンによる候補リストとして「１．恩背医を」、「２．音声を」、「３．音勢を」等を表示し、入力者の選択に応じて「２．音声を」をレポートとして確定していた。
【０００９】
この処理は、かな漢字変換ソフトウェア等の変換作業に近いものであり、音素への変換ミスを考慮する必要がある。しかしながら、音声データから文章データへの変換には、現状では誤変換が避けられない。このため、誤変換をキーボード等によってその場で修正する場合が多いが、医療診断の現場において、両手が必要なキーボードを用いることには不都合が多い。
【００１０】
よって医師がキーボード操作を行うことが望ましくないので、トランスクライバ（transcriber）等が音声データをテキストに書き起こし、医師の承認を受け、正式な形式の画像と所見を含むレポート（電子カルテ）を作成する必要があった。しかし、トランスクライバが音声のみを利用して文章データを作成するのは迂遠であり、作業時間を多く必要とした。また、トランスクライバが文章データを作成するまでは文章データが一切使用できないという難点があった。一方、キーボード等による修正をなくすためには、音声入力ソフトに習熟する必要がある。また、医療技術の進歩に応じて専門語彙を増加させる作業も煩雑である。
【００１１】
本発明は、上記従来の事情に鑑みてなされたものであって、入力された音声データを、容易かつ正確に文章データとして記録することができる音声入力レポートシステムおよび医療用サーバ装置、入力装置、校正装置、閲覧装置を提供することを目的とする。
【課題を解決するための手段】
【００１２】
本発明の医療用サーバ装置は、医療画像に関連する所見データを保存する医療用サーバ装置であって、前記医療画像と関連する音声データから変換された文章データ、および、前記音声データを前記文章データに変換する際の変換候補である変換候補データを入力装置から受け取る手段と、前記文章データおよび前記変換候補データを校正装置に送出する手段と、前記変換候補データに基づいて修正された前記文章データである校正データを前記校正装置から取得する手段と、取得した校正データを保存する手段と、を備える。
【００１３】
上記構成によれば、入力装置で入力された音声データをテキストに変換した文章データとともに、音声データをテキストに変換する際の中間データである変換候補データを校正装置に送出することにより、校正装置において、変換候補データを利用して文章データを修正することができるため、文章データの修正作業を容易かつ正確に行なうことができる。
【００１４】
また、本発明の医療用サーバ装置は、前記入力装置から受け取った前記文章データから語句データを抽出して保持する手段と、前記校正装置から取得した前記校正データから新たな語句データを抽出し、前記保持する語句データを、前記新たな語句データにより更新する手段と、を備える。
【００１５】
上記構成によれば、校正データから抽出した語句データを検索等に利用することができる。
【００１６】
また、本発明の医療用サーバ装置は、前記語句データを検索キーとして検索を行う手段を備える。
【００１７】
上記構成によれば、文章データに含まれる語句データを検索キーとして検索することができるため、所見データに基づいて医療画像を検索することができる。
【００１８】
また、本発明の医療用サーバ装置は、前記入力装置から受け取った前記変換候補データから語句データを抽出する手段を備える。また、本発明の医療用サーバ装置は、抽出した語句データを検索キーとして検索を行う手段を備える。
【００１９】
上記構成によれば、変換候補データに含まれる語句データを検索キーとして検索することができるため、所見データに基づく医療画像検索の利便性を向上することができる。
【００２０】
また、本発明の入力装置は、医療画像に関する所見データを保存する医療用サーバ装置に接続され、前記医療画像に関する所見を入力する入力装置であって、前記医療画像に関する音声データの入力を受ける手段と、前記音声データを文章データに変換する手段と、前記音声データを前記文章データに変換する際の変換候補を変換候補データとして生成する手段と、変換した文章データおよび生成した変換候補データを医療用サーバ装置に送信する手段と、を備える。
【００２１】
上記構成によれば、医療画像の読影を行った医師が音声で入力した診断結果等の音声データをテキストに変換し、変換した文章データおよび変換候補データを医療用サーバ装置に送信できる。
【００２２】
また、本発明の校正装置は、医療画像に関する所見データを保存する医療用サーバ装置に接続され、前記医療画像に関する文章データを修正する校正装置であって、前記医療画像に関する音声データから変換された文章データ、および、前記音声データを前記文章データに変換する際の変換候補である変換候補データを、前記医療用サーバ装置を介して取得する手段と、前記変換候補データを表示させる手段と、前記変換候補データに基づいて前記文章データを修正して校正データを生成する手段と、を備える。
【００２３】
上記構成によれば、校正装置の利用者は、変換候補データを利用して文章データを修正することができるため、文章データの修正作業を容易かつ正確に行なうことができる。
【００２４】
また、本発明の校正装置は、入力者用音声辞書を、前記校正データの生成に用いた情報を用いて更新する手段を備える。
【００２５】
また、本発明の閲覧装置は、医療画像に関する所見データを保存する医療用サーバ装置に接続され、前記医療画像を閲覧するための閲覧装置であって、前記医療画像に関する音声データを文章データに変換する際の変換候補である変換候補データを、検索キーとして前記医療用サーバ装置に検索式を送信する手段を備える。
【００２６】
上記構成によれば、変換候補データに含まれる語句データを検索キーとして検索することができるため、所見データに基づく医療画像検索の利便性を向上することができる。
【００２７】
また、本発明の音声入力レポートシステムは、医療画像に関する音声データを文章データとして記録する音声入力レポートシステムであって、本発明の医療用サーバ装置と、本発明の入力装置と、本発明の校正装置と、を有する。
【発明の効果】
【００２８】
本発明によれば、入力された音声データを、容易かつ正確に文章データとして記録することができる。
【発明を実施するための最良の形態】
【００２９】
図１は、本発明の実施形態にかかる音声入力レポートシステムを説明するための図である。本実施形態の音声入力レポートシステムでは、音声認識による音素の認識、文節の区切り、単語の変換候補全て（変換候補データ）を保存する。
【００３０】
例えば、図１に示すように、音声認識装置１１に「音声を入力しました。」という音声を入力すると、音声認識装置１１は、音声データより作成された文章データとともに、「１．お＿ん＿せい＿を」、「２．おん＿せい＿を」、「３．おんせい＿を」等の音声データの文節区切り候補、および「１．音声」、「２．音性」、「３．音勢」等の同音異義語の候補群など、音声をテキストに変換する際の中間データである変換候補データも保存する。なお、文章データは、音声認識装置等を用いてテキストに変換される。この時の変換精度は低くても問題ない。
【００３１】
また、パーソナル・コンピュータＰＣ１２で変換修正作業を行なう場合に、音声認識装置１１に保存されている音声データの文節区切り候補、および同音異義語の候補群等の変換候補データを参照して、文章データを修正しレポートとして確定することができる。
【００３２】
このように本実施形態の音声入力レポートシステムによれば、入力者の選択により確定した文章データとともに、音声をテキストに変換する際の中間データである変換候補データを保存するので、校正者が文章データを修正（校正）する場合に、入力者が確定した文章データとともに変換候補データを利用することができ、校正作業を容易かつ正確に行なうことができる。
【００３３】
図２は、本発明の実施形態にかかる音声入力レポートシステム１００の概略構成を説明するための図である。本実施形態の音声入力レポートシステム１００は、医療画像と所見データを保存する医療用サーバ装置２１と、入力者が医療画像に関する所見を入力する入力端末２２と、校正者が医療画像に関する文章データを修正する校正端末２３と、医療画像を閲覧するための閲覧端末２４とを含む。医療用サーバ装置２１は、校正端末２３で修正された文章データを保存する。
【００３４】
入力端末２２は、医療画像に関する音声データを文章データに変換するとともに、変換候補を変換候補データとして作成し、文章データおよび変換候補データを医療用サーバ装置２１に送信する。
【００３５】
校正端末２３は、医療用サーバ装置２１から、医療画像に関する音声データから変換された文章データ、および音声データを文章データに変換する際の変換候補データを取得し、変換候補データを表示して文章データを校正する。
【００３６】
医療用サーバ装置２１は、入力端末２２から、医療画像に関する音声データから変換された文章データ、および音声データを文章データに変換する際の変換候補データを受け取り、文章データおよび変換候補データを校正端末２３に送出し、文章データおよび変換候補データに基づいて校正された校正データを校正端末２３から受け取って保存する。
【００３７】
また、閲覧端末２４は、医療画像に関する音声データから変換された文章データと、音声データを文章データに変換する際の変換候補データとを含む検索条件を、検索式として医療用サーバ装置２１に送信し、文章データおよび変換候補データに含まれる語句データを検索することができる。
【００３８】
このように本実施形態の音声入力レポートシステム１００によれば、医療用サーバ装置２１に入力者の選択により確定した文章データとともに、音声をテキストに変換する際の中間データである変換候補データを保存するので、校正端末２３において文章データを校正する場合に、入力者が確定した文章データとともに変換候補データを利用することができ、校正作業を容易かつ正確に行なうことができる。
【００３９】
図３は、本発明の実施形態にかかる音声入力レポートシステム１００におけるデータ構造を示す図である。本実施形態の音声入力レポートシステム１００において、所見データは、画像データと関連づけられている。さらに、所見データは、音声データから変換された文章データと、音声データを文章データに変換する際の変換候補データとで構成され、これらの所見データが医療用サーバ装置２１に保存される。なお、医療用サーバ装置２１に医療画像をも保存してもよい。
【００４０】
図４は、本発明の実施形態にかかる音声入力レポートシステム１００の処理フローを示す。本実施形態の音声入力レポートシステム１００では、まず、入力端末２２において、画像データを取得し（ステップＳ１１）、入力者が画像を観察する（ステップＳ１２）。そして、入力者が所見を音声で入力（音声データ）する（ステップＳ１３）。
【００４１】
次に、入力端末２２は、音声データを文章に変換し、文章データおよび変換候補データを生成する（ステップＳ１４）。そして、文章データおよび変換候補データを医療用サーバ装置２１に登録する（ステップＳ１５）。
【００４２】
次に、校正端末２３において、校正者が、医療用サーバ装置２１から文章データおよび変換候補データを取得し（ステップＳ１６）、文章データおよび変換候補データを利用して文章データを校正する（ステップＳ１７）。そして、校正された文章データを医療用サーバ装置２１に登録する（ステップＳ１８）。
【００４３】
次に、閲覧端末２４において、閲覧者は、画像データと文章データを医療用サーバ装置２１から取得し、診断に用いる。また、医療画像に関する音声データから変換された文章データと、音声データを文章データに変換する際の変換候補データとを含む検索条件により所見データを検索する事もできる（ステップＳ１９）。
【００４４】
このように本実施形態の音声入力レポートシステム１００によれば、医療用サーバ装置２１に音声データから作成された文章データとともに、音声をテキストに変換する際の中間データである変換候補データを保存するので、校正端末２３において、文章データの校正を行うときに、文章データの校正が必要な箇所の変換候補データも存在するので、変換候補データから望ましい候補を選択するのみで校正ができるので、校正はより効率よくできるようになる。また、従来であれば、校正を行うときに校正者は音声データを参照した上で正しい文章を入力する必要があったのに対して、校正者は音声データを参照せずに候補データから望ましい候補を選択するのみで校正ができるので、時間を要する音声データの再生や文章の入力を行わずに校正ができる。また、データ量の大きい音声データを保持する必要もなくなる。また、校正端末が音声認識機能を有している必要もなく、また、校正端末がスピーカー装置等を有している必要もなくなる。
【実施例１】
【００４５】
図５は、本発明の実施例１にかかる音声入力レポートシステム１００を説明するための図である。本実施例の音声入力レポートシステム１００では、複数の入力者Ａ，Ｂ，Ｃが存在する場合に、校正者の校正に用いた情報を用いて個別の入力者用の音声辞書を更新する。
【００４６】
本実施例の音声入力レポートシステム１００では、医療用サーバ装置２１に複数の入力者Ａ，Ｂ，Ｃ用の音声辞書を備え、例えば、校正端末２３において、校正者が、入力者Ａが入力した音声データから変換された文章データを校正する場合に、入力者Ａ用の音声辞書３１を編集することができる。
【００４７】
図６は、本実施例にかかる音声入力レポートシステム１００のフローを示す。本実施例の音声入力レポートシステム１００では、医療用サーバ装置２１は、入力者毎に入力者用の音声辞書を保有している。まず、入力端末２２において、入力者Ａが自分用の音声辞書３１を医療用サーバ装置２１から取得し（ステップＳ２１）、入力者Ａが所見を音声で入力し、音声データを生成する（ステップＳ２２）。
【００４８】
次に、校正端末２３において、校正者が、文章データおよび変換候補データを利用して文章データを校正し（ステップＳ２３）、校正結果を医療用サーバ装置２１に通達する（ステップＳ２４）。このとき、医療用サーバ装置２１では、校正結果を利用して入力者Ａ用の音声辞書３１を更新する（ステップＳ２５）。
【００４９】
このように本実施例の音声入力レポートシステム１００によれば、医療用サーバ装置２１に複数の入力者用の音声辞書を備え、校正者が校正に用いた情報を用いて個別の入力者用の音声辞書を更新するので、個別の入力者の発音上の特徴を反映した音声辞書を形成することができ、音声変換の正確さを向上することができる。尚、音声辞書は必ずしも医療用サーバ装置２１内に存在する必要は無く、別個独立のサーバに存在したり、入力者それぞれの端末に存在しても良い。
【実施例２】
【００５０】
図７は、本発明の実施例２にかかる音声入力レポートシステム１００を説明するための図である。本実施例の音声入力レポートシステム１００では、先に変換した文章から検索などに用いる語句（検索キー）を抜き出す。また、校正がなされたら検索などに用いる語句も更新する。
【００５１】
図７に示すように、本実施例の音声入力レポートシステム１００において、医療用サーバ装置２１は、入力端末２２において入力者が入力した、例えば、「異常なし」、「腫瘍」、「影」、「胸部」、「卒中」などの文章データ・重要語句(語句データ)３２、および変換候補データを記憶している。これらの文章データ・重要語句(語句データ)３２および変換候補データは、閲覧端末２４において閲覧者が検索条件の中に含めることができ、所見データの検索を効率よく行なうことができる。更に、校正がなされたら検索などに用いる重要語句(語句データ)も更新する事によって更に効率の良い検索ができるようになる。
【実施例３】
【００５２】
図８は、本発明の実施例３にかかる音声入力レポートシステム１００を説明するための図である。本実施例の音声入力レポートシステム１００では、変換候補が複数ある場合に、それぞれを検索などに用いる語句（検索キー）として変換候補データを利用する。
【００５３】
例えば、図８に示すように、医療用サーバ装置２１の文章データ・重要語句(語句データ)３２には、入力端末２２において入力者が発音した「○×フュージョン」の変換候補である「ＣＴフュージョン」、「ＰＥＴフュージョン」「ＣＴパフュージョン」、「ＭＲパフュージョン」等も記憶される。そして、これらの文章データ・重要語句(語句データ)３２および変換候補データは、閲覧端末２４において、閲覧者が検索条件の中に含めることができる。変換候補は、音の近い語であったり、類義語であったり、関連している語であったりする。
【００５４】
図９は、本実施例にかかる音声入力レポートシステム１００の処理フローを示す。本実施例にかかる音声入力レポートシステム１００では、まず、入力端末２２において、入力者が所見を音声で入力し、音声データを生成する（ステップＳ３１）。次に、入力端末２２が音声データを文章に変換して文章データおよび変換候補データを生成し（ステップＳ３２）、文章データおよび変換候補データを医療用サーバ装置２１に登録する（ステップＳ３３）。
【００５５】
次に、医療用サーバ装置２１は、文章データから重要語句(語句データ)を抽出し、検索用のキーとする（ステップＳ３４）。また、変換候補データから重要語句(語句データ)を抽出し、検索用のキーに追加する（ステップＳ３５）。次に、閲覧端末２４において、閲覧者が画像データの検索に用いる検索式を医療用サーバ装置２１に送信する（ステップＳ３６）。医療用サーバ装置２１は、検索式をキーに適用して検索する（ステップＳ３７）。
【００５６】
このように本実施例の音声入力レポートシステム１００によれば、医療用サーバ装置２１に入力者の選択により確定した文章データとともに、音声をテキストに変換する際の中間データである変換候補データを保存するので、閲覧端末２４において所見データを検索する場合に、入力者が確定した文章データとともに変換候補データに含まれる語句データを検索することができ、医療検索を容易かつ正確に行なうことができる。
【００５７】
また、本実施例と前実施例を組み合わせ、校正がなされたら検索などに用いる語句も更新することができる。このようにすることよって更に効率の良い検索ができるようになる。
【実施例４】
【００５８】
図１０は、本発明の実施例４にかかる音声入力レポートシステム１００のデータ構造を示す。本実施例の音声入力レポートシステム１００は、文章データに変換する前の音声データも保存するものであり、所見データは画像データと関連づけられている。さらに、所見データは、音声データから変換された文章データと、音声データを文章データに変換する際の変換候補データと、文章データに変換する前の音声データと、音声データと文章データとを関連づけるデータとで構成される。
【００５９】
本実施例の音声入力レポートシステム１００によれば、文章データに変換する前の音声データと、音声データと文章データとを関連づけるデータを所見データとして保存するので、音声データおよび関連づけデータを参照することにより、より正確な校正が可能になる。すなわち、音声データと文章データの各音素、文字の対応付けデータによって、文章データの修正が必要な箇所の音声がピンポイントで再生できるので、より効率よく校正ができるようになる。
【００６０】
図１１は、本実施例にかかる音声入力レポートシステム１００の処理フローを示す。本実施例の音声入力レポートシステム１００では、まず、入力端末２２において、入力者が所見を音声で入力する（ステップＳ４１）。入力端末２２は、音声を音素に区切り（ステップＳ４２）、音素を文字に変換し、文章データ内の文字に対応する音声データ上の音素の位置(時刻)を関連づけデータとして記録する（ステップＳ４３）。また、文章データ、変換候補データ、関連づけデータを医療用サーバ装置２１に登録する（ステップＳ４４）。
【００６１】
次に、校正端末２３において、校正者が、医療用サーバ装置２１から文章データ、変換候補データ、関連づけデータを取得し（ステップＳ４５）、文章データ、変換候補データを利用して文章データを校正する（ステップＳ４６）。
【００６２】
次に、関連づけデータを用いて校正したい文章データの文字に対応する音声データ上の音素の位置を取得する（ステップＳ４７）。そして、音素の位置の前後の音声データを再生し校正する（ステップＳ４８）。
【００６３】
このように本実施例の音声入力レポートシステム１００によれば、文章データに変換する前の音声データと文章データの各音素、文字の対応付けデータによって、文章データの修正が必要な箇所の音声がピンポイントで再生できるので、より効率よく校正ができるようになる。また、文章データの校正が必要な箇所の変換候補データも存在するので、変換候補データに望ましい候補が含まれていれば選択を指示するのみで校正ができるので、校正はより効率よくできるようになる。また、音声データの参照は変換候補データに合理的な変換候補が存在しない場合にのみ行うとすることもできるで、校正はより効率よくできるようになる。
【００６４】
尚、本実施形態では医療用サーバ装置に医療画像と所見データをあわせて保存したが、医療画像と所見データは同一サーバ装置に保存する必要はない。例えば、所見データのみを参照する用途を考慮して、容量の小さい所見データを高速サーバ装置に、容量の大きい医療画像を低速サーバ装置に分けて保存することができる。また、所見データとあわせて医療画像のうち病変部を適切に指摘する代表画像を同一サーバ装置に保存して、残りの医療画像を別個のサーバ装置に保存することができる。また、医療画像は所見データと独立して破棄できる。
【００６５】
尚、本実施形態では入力端末と校正端末と閲覧端末を用いたが、1つの端末に複数の端末の機能があっても問題ない。また、それぞれの端末が複数存在していても良い。
【００６６】
尚、本実施形態では校正した文章データをサーバに登録したが、校正前の文章データをもサーバに登録しておいて良い。これによって、後に校正や改ざんの履歴を確認できる。
【００６７】
尚、本実施形態では校正端末にて変換候補データから1つずつ正しい候補を選択したが、候補を選択するときに同一の変換候補データの組み合わせを持つ他の変換候補データに関しても同時に候補を選択できる。このようにすれば校正を一括して行えるので効率の良い校正ができる。
【産業上の利用可能性】
【００６８】
本発明は、医療画像に関する音声データを文章データとして記録する際に必要な操作が軽減できるとともに、音声から変換された文章データを検索に有効に利用できる医療用サーバ装置、入力装置、校正装置、閲覧装置、および音声入力レポートシステムとして利用可能である。
【図面の簡単な説明】
【００６９】
【図１】本発明の実施形態にかかる音声入力レポートシステムを説明するための図
【図２】本発明の実施形態にかかる音声入力レポートシステム１００の概略構成を説明するための図
【図３】本発明の実施形態にかかる音声入力レポートシステム１００におけるデータ構造を示す図
【図４】本発明の実施形態にかかる音声入力レポートシステム１００の処理フロー
【図５】本発明の実施例１にかかる音声入力レポートシステム１００を説明するための図
【図６】本発明の実施例１にかかる音声入力レポートシステム１００のフロー
【図７】本発明の実施例２にかかる音声入力レポートシステム１００を説明するための図
【図８】本発明の実施例３にかかる音声入力レポートシステム１００を説明するための図
【図９】本発明の実施例３にかかる音声入力レポートシステム１００の処理フロー
【図１０】本発明の実施例４にかかる音声入力レポートシステム１００のデータ構造を示す図
【図１１】本発明の実施例４にかかる音声入力レポートシステム１００の処理フロー
【図１２】従来の音声入力レポートシステムを説明するための図（１）
【図１３】従来の音声入力レポートシステムを説明するための図（２）
【図１４】従来の音声入力レポートシステムの処理フロー
【図１５】従来の音声入力レポートシステムの音声認識装置５１で行われる処理を説明するための図
【符号の説明】
【００７０】
１１，５１  音声認識装置
１２  パーソナル・コンピュータ
２１  医療用サーバ装置
２２  入力端末
２３  校正端末
２４  閲覧端末
３１  入力者Ａ用音声辞書
３２  文章データ・重要語句(語句データ)
１００  音声入力レポートシステム
【図１】
2007293600.tif 000003
【図２】
2007293600.tif 000004
【図３】
2007293600.tif 000005
【図４】
2007293600.tif 000006
【図５】
2007293600.tif 000007
【図６】
2007293600.tif 000008
【図７】
2007293600.tif 000009
【図８】
2007293600.tif 000010
【図９】
2007293600.tif 000011
【図１０】
2007293600.tif 000012
【図１１】
2007293600.tif 000013
【図１２】
2007293600.tif 000014
【図１３】
2007293600.tif 000015
【図１４】
2007293600.tif 000016
【図１５】
2007293600.tif 000017